(57)【要約】【課題】停止、再起動を直ちに行える空調熱源設備及び空調熱源設備の制御方法を提供することを目的とする。【解決手段】熱源側は、冷凍機１１１ａ、１１１ｂ、１１１ｃと、一次側往水管路１１２ａ、１１２ｂ、１１２ｃ及び一次側還水管路１１８ａ、１１８ｂ、１１８ｃと、熱媒体を冷凍機に圧送する一次ポンプ１２１ａ、１２１ｂ、１２１ｃとからなる。空調負荷側は、空調機１１５ａ、１１５ｂ、…と、二次側往水管路１１４ａ、１１４ｂ…及び二次側還水管路１１６ａ、１１６ｂ、…と、熱冷媒を空調機に圧送する二次ポンプ１２５ａ、１２５ｂ、１２５ｃとからなる。往ヘッダ１１３と還ヘッダ１１７との間にバイパス管路１３０が設けられる。空調熱源制御部１３１は、二次ポンプ１２５ａ、１２５ｂ、１２５ｃの制御により、動作の停止、再起動を制御する。【選択図】図１
2014181831.tif 000002
【特許請求の範囲】
【請求項１】
空調熱源機と、一次側往水管路及び一次側還水管路と、熱媒体を前記空調熱源機に圧送する一次ポンプとからなる熱源側と、
空調機と、二次側往水管路及び二次側還水管路と、熱冷媒を前記空調機に圧送する二次ポンプとからなる空調負荷側と、
前記空調負荷側と前記熱源側との間の往ヘッダ及び還ヘッダと、
前記往ヘッダと還ヘッダとの間のバイパス管路と、
前記二次ポンプの停止及び起動の制御により、前記熱媒体を供給する動作の停止、再起動を制御する空調熱源制御部と
を備えることを特徴とする空調熱源設備。
【請求項２】
前記空調熱源制御部は、さらに、前記空調熱源機を制御して、動作の停止、再起動を制御することを特徴とする請求項１に記載の空調熱源設備。
【請求項３】
条件に応じて、前記空調熱源機による制御と前記二次ポンプの制御とを選択して、動作の停止、再起動を制御することを特徴とする請求項２に記載の空調熱源設備。
【請求項４】
空調熱源機と、一次側往水管路及び一次側還水管路と、熱媒体を前記空調熱源機に圧送する一次ポンプとからなる熱源側と、
空調機と、二次側往水管路及び二次側還水管路と、熱冷媒を前記空調機に圧送する二次ポンプとからなる空調負荷側と、
前記空調負荷側と前記熱源側との間の往ヘッダ及び還ヘッダと、
前記往ヘッダと還ヘッダとの間のバイパス管路とを備えた空調熱源設備の制御方法であって、
前記二次ポンプの制御により、動作の停止、再起動を制御することを特徴とする空調熱源設備の制御方法。
【発明の詳細な説明】
【技術分野】
【０００１】
本発明は、スマートグリッドのシステムに用いて好適な空調熱源設備及び空調熱源設備の制御方法に関する。
【背景技術】
【０００２】
スマートグリッドに対応して建物の需給電力調整手法の１つとして、時々刻々の電力消費量をモニタリングし、建物全体の買電量を目標とする値とするような設備機器の容量制御を行う（リアルタイムＤＲ（デマンドレスポンス））と称する）ものが提案されている（例えば、特許文献１、特許文献２）。このような容量制御の対象設備機器の中で、冷凍機等の空調熱源機は、比較的調整能力が高く、対象設備機器として優れており、冷凍機等の空調熱源機のより効率的な制御が検討されている。
【先行技術文献】
【特許文献】
【０００３】
【特許文献１】特開２０１１−２３９５２８号公報
【特許文献２】特開２０１２−０８０６７９号公報
【発明の概要】
【発明が解決しようとする課題】
【０００４】
しかしながら、冷凍機は、その特性として、動作を完全に停止させるまでに時間がかかり、また、動作が完全に停止してしまうと、再開に時間がかかるという問題がある。つまり、冷凍機を停止させる場合、冷凍機の動作が停止し、一次ポンプを停止させるのに、数分（例えば６分程度）の時間がかかる。再起度の場合も同様に、一次ポンプを復帰させ、冷凍機を復帰させるのに、数分（例えば４分程度）の時間がかかる。
【０００５】
また、冷凍機機の停止、再起動に時間がかかると、スマートグリッドのリアルタイムＤＲ処理で、消費電力が目標値とならず、実際の買電量と目標とする買電量に誤差が生じることがある。
【０００６】
つまり、リアルタイムＤＲでは、例えば、３０分単位（デマンド時限）で平均消費電力を集計して処理を行っている。例えば、リアルタイムＤＲで、３０分単位の前半の２０分間の消費電力が目標値より大きくなっており、残りの１０分間では動作を停止させて、消費電力を目標値を設定するような制御が行われることがある。このとき、冷凍機の動作の停止に例えば６分の時間がかかると、設定した残りの１０分間の動作の停止が、実際には、例えば（１０分−６分＝４分）の動作の停止しかならなくなる。この場合、消費電力が目標値とならず、実際の買電量と目標とする買電量に誤差が生じることがある。３０分単位の集計では、空調熱源機の停止、再起動にかかる数分の時間は、無視できない時間である。
【０００７】
また、冷凍機を停止させてしまうと、熱媒体の温度は、外部環境の影響を受けて変化する。このため、冷凍機を停止させてしまうと、再起動時に、熱冷媒の初期温度が高くなり、一次側配管の熱冷媒の温度を設定温度になるまで冷やすために時間を要する。
【０００８】
さらに、熱源が複数の冷凍機から構成される場合、ローテーション機能により、再起動時に、それまで動いていた冷凍機と異なる冷凍機が起動されることがある。それまで動いていた冷凍機と異なる冷凍機が起動されると、その冷凍機の一次配管を流れる熱冷媒の温度は初期水温となっており、熱冷媒を設定温度に冷やすために時間を要する。
【０００９】
上述の課題を鑑み、本発明は、停止、再起動を直ちに行える空調熱源設備及び空調熱源設備の制御方法を提供することを目的とする。
【課題を解決するための手段】
【００１０】
上述の課題を解決するために、本発明に係る空調熱源設備は、空調熱源機と、一次側往水管路及び一次側還水管路と、熱媒体を前記空調熱源機に圧送する一次ポンプとからなる熱源側と、空調機と、二次側往水管路及び二次側還水管路と、熱冷媒を前記空調機に圧送する二次ポンプとからなる空調負荷側と、前記空調負荷側と前記熱源側との間の往ヘッダ及び還ヘッダと、前記往ヘッダと還ヘッダとの間のバイパス管路と、前記二次ポンプの停止及び起動の制御により、前記熱媒体を供給する動作の停止、再起動を制御する空調熱源制御部ととを備えることを特徴とする。
【００１１】
本発明に係る空調熱源設備の制御方法は、空調熱源機と、一次側往水管路及び一次側還水管路と、熱媒体を前記空調熱源機に圧送する一次ポンプとからなる熱源側と、空調機と、二次側往水管路及び二次側還水管路と、熱冷媒を前記空調機に圧送する二次ポンプとからなる空調負荷側と、前記空調負荷側と前記熱源側との間の往ヘッダ及び還ヘッダと、前記往ヘッダと還ヘッダとの間のバイパス管路とを備えた空調熱源設備の制御方法であって、前記二次ポンプの制御により、動作の停止、再起動を制御することを特徴とする。
【発明の効果】
【００１２】
本発明によれば、スマートグリッドのリアルタイム制御を行う際に、空調熱源機自体を出力０％の運転状態とするため、空調熱源設備を直ちに、停止したり、再起動することができる。
また、本発明によれば、空調熱源設備を再起動した際に、空調熱源機自体を停止させていないため、所望の温度の熱媒体を空調機に供給し、従来に比較して高速に冷却することができる。
【図面の簡単な説明】
【００１３】
【図１】本発明の第１の実施形態に係る空調熱源設備の全体構成図である。
【図２】本発明の第１の実施形態に係る空調熱源設備の説明に用いるタイミング図である。
【図３】本発明に係る空調熱源設備機器を利用できるスマートグリッドシステムの一例を示す概略ブロック図である。
【発明を実施するための形態】
【００１４】
以下、本発明の実施の形態について図面を参照しながら説明する。図１は、本発明の第１の実施形態に係る空調熱源設備１０１の構成を示すものである。図１に示すように、本発明の第１の実施形態に係る空調熱源設備１０１は、熱源側の熱媒体（例えば水：冷却水など）の搬送を受け持つ一次ポンプ１２１ａ、１２１ｂ、１２１ｃと、空調負荷側の熱媒体の搬送を受け持つ二次ポンプ１２５ａ、１２５ｂ、１２５ｃとからなるツーポンプシステムの構成とされている。
【００１５】
熱源側は、冷凍機（空調熱源機）１１１ａ、１１１ｂ、１１１ｃと、一次側往水管路１１２ａ、１１２ｂ、１１２ｃ及び一次側還水管路１１８ａ、１１８ｂ、１１８ｃと、一次ポンプ１２１ａ、１２１ｂ、１２１ｃとからなる。空調負荷側は、空調機１１５ａ、１１５ｂ、…、１１５ｚと、二次側往水管路１１４ａ、１１４ｂ、…、１１４ｚ及び二次側還水管路１１６ａ、１１６ｂ、…、１１６ｚと、二次ポンプ１２５ａ、１２５ｂ、１２５ｃとからなる。
【００１６】
冷凍機１１１ａ、１１１ｂ、１１１ｃは、それぞれ一次側往水管路１１２ａ、１１２ｂ、１１２ｃを介して、往ヘッダ１１３に接続される。往ヘッダ１１３は、二次側往水管路１１４ａ、１１４ｂ、…を介して、室内側に設けられた空調機１１５ａ、１１５ｂ、…に接続される。空調機１１５ａ、１１５ｂ、…は、二次側還水管路１１６ａ、１１６ｂ、…を介して、還ヘッダ１１７に接続される。還ヘッダ１１７は、一次側還水管路１１８ａ、１１８ｂ、１１８ｃを介して、冷凍機１１１ａ、１１１ｂ、１１１ｃとそれぞれ接続される。
【００１７】
一次側還水管路１１８ａ、１１８ｂ、１１８ｃには、それぞれ熱媒体を冷凍機１１１ａ、１１１ｂ、１１１ｃへ圧送するための一次ポンプ１２１ａ、１２１ｂ、１２１ｃが設けられている。一次ポンプ１２１ａ、１２１ｂ、１２１ｃは、冷凍機１１１ａ、１１１ｂ、１１１ｃと連動して動作する。また、一次側往水管路１１２ａ、１１２ｂ、１１２ｃには、水温センサ１２２ａ、１２２ｂ、１２２ｃが設けられる。
【００１８】
往ヘッダ１１３は、一次側往水管路１１２ａ、１１２ｂ、１１２ｃに接続される第１ヘッダ１２３と、二次側往水管路１１４ａ、１１４ｂ、…、１１４ｚに接続される第２ヘッダ１２４とから構成されている。往ヘッダ１１３において、ヘッダ１２３とヘッダ１２４との間には、熱媒体を空調機１１５ａ、１１５ｂ、…、１１５ｚへ圧送するための二次ポンプ１２５ａ，１２５ｂ，１２５ｃと、制御弁１２６とが並列に設けられている。
【００１９】
さらに、往ヘッダ１１３のヘッダ１２３と還ヘッダ１１７との間には、両者を流体が流通できるように連通させるバイパス管路１３０が設けられている。
【００２０】
この空調熱源設備１０１のシステムにおいては、冷凍機１１１ａ、１１１ｂ、１１１ｃによって生成された熱媒体は、一次ポンプ１２１ａ、１２１ｂ、１２１ｃの各々により往ヘッダ１１３において混合される。そして、混合された熱媒体は、二次ポンプ１２５ａ、１２５ｂ、１２５ｃの各々により、空調機１１５ａ、１１５ｂ、…、１１５ｚへ送られる。そして、空調機１１５ａ、１１５ｂ、…、１１５ｚで熱交換された後、還ヘッダ１１７を経て、再び冷凍機１１１ａ、１１１ｂ、１１１ｃへ送られる。二次ポンプ１２５ａ、１２５ｂ、１２５ｃは、空調機１１５ａ、１１５ｂ、１１５ｃの負荷に応じて自動制御される。
【００２１】
また、一次ポンプ１２１ａ、１２１ｂ、１２１ｃの各々と、二次ポンプ１２５ａ、１２５ｂ、１２５ｃの各々とは、水温センサ１２２ａ、１２２ｂ、１２２ｃの検出する温度が設定温度となるように、後述する空調熱源制御部１３１による容量制御が行われる。すなわち、空調熱源制御部１３１空調機１１５ａ、空調機１１５ｂ、…、空調機１１５ｚに送出する熱媒体の温度を調節するため、冷凍機１１１ａ、冷凍機１１１ｂ及び冷凍機１１１ｃで冷却する熱媒体の量を、一次ポンプ１２１ａ、１２１ｂ、１２１ｃの各々と、二次ポンプ１２５ａ、１２５ｂ、１２５ｃの各々とにより調節している。
【００２２】
また、一次ポンプ１２１ａ、１２１ｂ、１２１ｃによって各冷凍機１１１ａ、１１１ｂ、１１１ｃへ送られる熱媒体の流量、すなわち各冷凍機１１１ａ、１１１ｂ、１１１ｃで冷却されて送出される熱媒体の量に対して、空調機１１５ａ、１１５ｂ、…、１１５ｚへ送られる熱媒体の流量が減少した場合、熱媒体の流れる経路は以下のようになる。すなわち、余剰となった熱媒体（往水：供給される冷却水）については、バイパス管路１３０を介して直接、還ヘッダ１１７へ戻され、ここで空調機１１５ａ、１１５ｂ、…、１１５ｚからの還水と合流した後、再び各冷凍機１１１ａ、１１１ｂ、１１１ｃに、一次ポンプ１２１ａ、１２１ｂ、１２１ｃの各々により往ヘッダ１１３により搬送される。
【００２３】
空調熱源制御部１３１は、空調熱源設備１０１のシステムの制御を行っている。この空調熱源制御部１３１は、スマートグリッドシステムのリアルタイム制御（リアルタイムＤＲ処理）を行う際に、二次ポンプ１２５ａ，１２５ｂ，１２５ｃを制御して、空調熱源設備１０１の動作の停止及び再起動（再稼働）を制御している。また、空調熱源制御部１３１は、二次ポンプ１２５ａ，１２５ｂ，１２５ｃを停止する際、制御弁１２６を閉め、一方、二次ポンプ１２５ａ，１２５ｂ，１２５ｃを起動する際、制御弁１２６を開ける制御を行う。
【００２４】
ここで、二次ポンプ１２５ａ，１２５ｂ，１２５ｃが止められ、制御バルブ１２６が閉められると、冷凍機１１１ａ、１１１ｂ、１１１ｃから送り出された熱媒体は、一次側往水管路１１２ａ、１１２ｂ、１１２ｃを介され、往ヘッダ１１３に送られる。ここで、二次ポンプ１２５ａ，１２５ｂ，１２５ｃが全て閉じられていると、この熱媒体は、バイパス管路１３０を介して、還ヘッダ１１７へ戻され、一次側還水管路１１８ａ、１１８ｂ、１１８ｃから、再び冷凍機１１１ａ、１１１ｂ、１１１ｃに送られる。
【００２５】
このように、二次ポンプ１２５ａ，１２５ｂ，１２５ｃが止められ、制御バルブ１２６が閉められると、熱媒体は二次側の空調機１１５ａ、１１５ｂ、…、１１５ｃに供給されなくなり、バイパス管路１３０を介して、ヘッダ１２３から環ヘッダ１１７の経路により一次側で循環する。この循環する熱媒体は、負荷での熱交換が行われていないため、殆ど同一の温度となっている。したがって、冷凍機１１１ａ、１１１ｂ、１１１ｃは、容量制御を行って能力を絞り、消費電力は殆どゼロに近づく。このように、二次ポンプ１２５ａ，１２５ｂ，１２５ｃを止め、制御バルブ１２６を閉めると、空調熱源設備１０１のシステム全体では、冷凍機１１１ａ、１１１ｂ、１１１ｃを止めたのと殆ど同等の消費電力となることが図１に示す空調熱源設備１０１の構成を用いた実験により確認されている。
【００２６】
空調熱源設備１０１の動作を復帰させるときには、空調熱源制御部１３１は、二次ポンプ１２５ａ、１２５ｂ、１２５ｃを再起動させ、制御バルブ１２６を開ける。これにより、冷凍機１１１ａ、１１１ｂ、１１１ｃによって生成された熱媒体は、往ヘッダ１１３において混合され、空調機１１５ａ、１１５ｂ、…へ送られ、空調機１１５ａ、１１５ｂ、…で熱交換された後、還ヘッダ１１７を経て、再び冷凍機１１１ａ、１１１ｂ、１１１ｃへ送られるようになる。この場合、冷凍機１１１ａ、１１１ｂ、１１１ｃに戻ってくる熱媒体の温度が高くなるので、冷凍機１１１ａ、１１１ｂ、１１１ｃは出力を増大し、熱媒体の温度を低下させる。
【００２７】
このように、空調熱源設備１０１の動作を復帰させるとき、本実施形態では、二次ポンプ１２５ａ、１２５ｂ、１２５ｃを再起動させる。動作を停止させている間、一次側では熱媒体が循環しているので、一次側では熱媒体の初期水温が高くならない。また、本実施形態では、再起動時に、冷凍機１１１ａ、１１１ｂ、１１１ｃのローテーションが行われることはない。このため、再起動される冷凍機１１１ａ、１１１ｂ、１１１ｃの熱媒体の温度が初期温度になることはない。したがって、本実施形態では、直ちに所望の温度に設定することができる。
【００２８】
図２は、本発明に第１の実施形態に係る空調熱源設備の説明に用いるタイミング図である。図２（ａ）は、デマンド時間内を起動時間と停止時間との２つに分割して、空調熱源設備１０１の起動及び停止を行うことを示している。
また、本実施形態では、空調熱源設備１０１の停止、再起動を短時間で行えることから、図２（ｂ）に示すように、例えば３０分のデマンド時限間に、空調熱源設備１０１の動作のオン、オフを繰り返し行う制御を行っても良い。この図２（ｂ）における停止及び再起動の制御により、空調熱源設備１０１から熱媒体の供給を受ける空調機における室温の制御をより緩やかに制御することができる。
【００２９】
上述したように、本実施形態においては、デマンド制御を行う際、空調熱源設備の消費電力量を低下させる場合、従来のように冷凍機１１１ａ、１１１ｂ及び１１１ｃを停止させず、二次ポンプ１２５ａ、１２５ｂ、１２５ｃを停止させ、冷凍機１１１ａ、１１１ｂ及び１１１ｃの各々から送出された熱媒体を、バイパス管路１３０を介してヘッダ１２３から環ヘッダ１１７へ戻しているため、再起動して所定温度の熱媒体を空調機に対して送出を従来に比較して高速に行うことができる。
【００３０】
また、本実施形態においては、所定の温度での熱媒体の空調機に対する送出が高速に行えるため、デマンド時間内において複数回にわたり停止及び再起動を繰り返すことができるため、従来に比較して空調機による室内の冷却がこまめに停止されることになり、室内の温度上昇を抑制することができる。
【００３１】
なお、上述の実施形態では、二次ポンプ１２５ａ、１２５ｂ、１２５ｃを制御して、空調熱源設備１０１のシステムの停止、再起動の制御を行っているが、二次ポンプ１２５ａ、１２５ｂ、１２５ｃの制御による停止、再起動の制御と、冷凍機１１１ａ、１１１ｂ、１１１ｃによる停止、再起動の制御とを、条件に応じて、選択可能としても良い。
【００３２】
例えば、リアルタイムＤＲで停止、再起動の制御を行う場合には、二次ポンプ１２５ａ、１２５ｂ、１２５ｃの制御による停止、再起動の制御を行い、計画ＤＲの停止、再起動の制御を行う場合には、冷凍機１１１ａ、１１１ｂ、１１１ｃによる停止、再起動の制御を行うようにしても良い。
【００３３】
また、例えば、停止、再起動の時間が所定時間以内の場合には、二次ポンプ１２５ａ、１２５ｂ、１２５ｃ及び制御バルブ１２６の制御による停止、再起動の制御を行い、停止、再起動の時間が所定時間以上の場合には、冷凍機１１１ａ、１１１ｂ、１１１ｃによる停止、再起動の制御を行うようにしても良い。
【００３４】
また、二次ポンプ１２５ａ、１２５ｂ、１２５ｃを停止させ、制御バルブ１２６を閉じている間では、一次側で循環する熱媒体は殆ど同一の温度となっていることから、一次ポンプ１２１ａ、１２１ｂ、１２１ｃのパワーを下げるようにしても良い。
【００３５】
図３は、本発明に係る空調熱源設備機器を利用できるスマートグリッドシステムの一例を示す概略ブロック図である。図３に示す通り、このスマートグリッドシステムは、運転管理装置１と、空調熱源設備機器３と、作業設備機器４と、電源機器６と、電源出力制御装置７と負荷電力制御装置８とを備える。
【００３６】
このスマートグリッドシステムは、負荷装置として、例えば、空調熱源設備機器３と作業設備機器４を含む。なお、空調熱源設備機器３は熱源を備えているため、作業設備機器４に比べて消費電力の変動が大きく、天気や室内の利用環境に応じてその消費電力が変動しやすい。
【００３７】
空調熱源設備機器３（図１における空調熱源設備１０１に対応する）は、空調熱源機３１（冷凍機１１１ａ、１１１ｂ、１１１ｃに対応する）と、外調機３２と、空調機３３（空調機１１５ａ、１１５ｂ、…に対応する）と、熱循環機構３４と、パッケージ空調機３５とを含む。この空調熱源設備機器３のうち、空調熱源機３１と、外調機３２と、空調機３３は、熱循環機構３４を介して循環する熱媒体（例えば水）の温度を調整して、例えば各部屋に設置された空調機３３を介して室内の温度を調整する設備機器である。この空調熱源設備機器３は、熱循環機構３４を利用して、負荷装置が必要とする熱量を、外調機３２や空調機３３に提供する。
【００３８】
この熱循環機構３４は、例えば、各部屋に張り巡らされ、空調熱源機３１によって与えられた熱量を保持する媒体（液体や気体）を充填したパイプ３４１（図１における一次側往水管路１１２ａ、１１２ｂ、１１２ｃ及び一次側還水管路１１８ａ、１１８ｂ、１１８ｃと、二次側往水管路１１４ａ、１１４ｂ、…及び二次側還水管路１１６ａ、１１６ｂ等を含むと）と、この媒体を循環させるポンプ３４２（図１における一次ポンプ１２１ａ、１２１ｂ、１２１ｃ及び二次ポンプ１２５ａ、１２５ｂ、１２５ｃを含むと）と、熱量を保持する媒体を蓄える蓄熱槽３４３を含む。
【００３９】
空調熱源機３１は、例えばヒートポンプである冷凍機やジェネリンク等を含み、パイプ３４１に充填された媒体の温度を上げる加熱処理、及び、媒体の温度を下げる冷却処理を行う。
【００４０】
外調機３２は、外気を取り込み、室内温度にあわせてある程度、外気温度を調整する。空調機３３は、空調熱源機３１により加熱処理あるいは冷却処理された媒体の温度を利用して、外調機３２が取り込んだ外気を室内温度に合わせて調整する。パッケージ空調機３５は、空調熱源機３１により加熱・冷却処理された媒体の温度を利用せずに、外調機３２が取り込んだ外気を室内温度に合わせて調整する。
【００４１】
作業設備機器４は、ＰＣ（Ｐｅｒｓｏｎａｌ  Ｃｏｍｐｕｔｅｒ）４１と、照明機器４２と、ＯＡ（Ｏｆｆｉｃｅ  Ａｕｔｏｍａｔｉｏｎ）機器４３とを含む。これらＰＣ４１、照明機器４２、ＯＡ機器４３は、オフィス等のビル内に多く設置されている作業設備機器であって、本発明に係る作業設備機器４の一例である。
【００４２】
また、このスマートグリッドシステムは、これら負荷装置に電力を供給する電源機器６として、第１発電機６１と、第２発電機６２と、蓄電池６３と、買電電源６４を含む。
【００４３】
第１発電機６１は、風力エネルギーや太陽光エネルギー等を利用して自家発電により電力を発電する。この第１発電機６１の発電エネルギーは天候によって左右されるため、その出力電力は一定ではない。第２発電機６２は、例えばガスエンジン発電機やガスタービン発電機等の発電機である。この第２発電機６２は、天候によって左右される発電エネルギーを使用していないため、出力電力を調整することができる。蓄電池６３は、第１発電機６１及び第２発電機６２によって発電された発電電力、及び買電電源６４から出力される買電電力を蓄電する。買電電源６４は、例えば、使用者が電力会社から購入する電力（買電電力）を出力する。
【００４４】
なお、この電力会社からの買電については、使用者に応じて契約電力Ｃ［ｋｗ］が決まっており、使用した予め決められた一定時間（デマンド時限）あたりの平均電力が契約電力Ｃを超えた場合、予め契約電力Ｃに応じて決められている支払料金に違約金等の追加料金が課せられる。ここでは、契約電力のことを、以下、デマンド目標値Ｃということもある。以下、予め決められた一定時間当たりとはデマンド時限に相当し、任意に決められる一定の時間であって、例えば３０分である。
【００４５】
運転管理装置１は、空調熱源運転計画と電源設備運転計画について管理する。この空調熱源運転計画とは、空調熱源に相当する負荷装置が必要とする熱負荷をデマンド時限毎に割り振り、この割り振りを時刻毎に示す計画である。空調熱源運転計画は、例えば、予測日において予め決められている設定温度に温度調整するために予想される熱量を供給するため、一日の各時間帯において予測される空調熱源に相当する負荷装置が消費する放熱量と蓄熱槽に蓄熱される蓄熱量を示す。
【００４６】
電源設備運転計画とは、全ての負荷装置に供給する電力源（発電電力と買電電力）の割り振りを時刻毎に示す計画である。この電源設備運転計画は、電源機器６から給電されることが予想される電力負荷予測値を、電源機器６に含まれる各電源出力（第１発電機６１と、第２発電機６２と、蓄電池６３と、買電電源６４）毎の運転のスケジュールにより示すものである。例えば、電源設備運転計画は、一日の各時間帯において予測される供給電力を給電するため、電源機器６が、予め決められた一定時間（デマンド時限）毎に運転するための電力を示す。
【００４７】
運転管理装置１は、予め、空調熱源設備機器３、作業設備機器４及び電源機器６の最適運転制御を行うために各種情報を入力し、その情報を基に空調熱負荷予測処理と発電出力予測処理を行う。この空調熱負荷予測処理では、予め決められている設定温度に温度調整するために必要と予測される熱量（空調熱負荷）を算出する処理を行う。発電出力予測処理は、第１発電機６１が発電すると予測される電力を算出する処理を行う。
【００４８】
運転管理装置１は、空調熱負荷予測処理と発電出力予測処理の結果に基づき、運転計画作成処理を行う。この運転計画作成部は、これらの予想結果に基づき、予測される空調熱負荷に応じて空調熱源運転計画の作成を行うとともに、予測される空調熱負荷に応じて、買電電源６４からの買電電力が任意の目標値（例えば最小値）となる電源機器６の各電源（第１発電機６１と、第２発電機６２と、蓄電池６３と、買電電源６４）の電力負荷を示す電源設備運転計画を作成する。
【００４９】
この運転管理装置１の基本処理は、各種情報を収集して空調熱負荷予測処理と発電出力予測処理を行う処理行程１と、その結果に基づいて空調熱源運転計画と電源設備運転計画を作成するための運転計画作成処理を行う処理行程２と、の２つの処理工程である。運転管理装置１は、この２つの処理工程に加え、計画ＤＲを実行する処理と、リアルタイムＤＲを実行する処理を、場合に応じて行う。
【００５０】
電源出力制御装置７は、運転管理装置１による運転計画、計画ＤＲ、リアルタイムＤＲ処理に基づき、電源機器６から負荷装置である空調熱源設備機器３と作業設備機器４に対して電力を供給する電力源（第１発電機６１、第２発電機６２、蓄電池６３、買電電源６４）を指定するとともに、この電力源が出力する電力とそのタイミングとを制御する。具体的にいうと、この電源出力制御装置７は、電力源のうち第１発電機６１、第２発電機６２及び蓄電池６３が出力する電力を制御する。なお、買電電源６４が出力する電力は、負荷装置（空調熱源設備機器３及び作業設備機器４）のデマンドに対して、第１発電機６１、第２発電機６２及び蓄電池６３が出力する電力では不足する電力である。
【００５１】
負荷電力制御装置８は、運転管理装置１による運転計画、計画ＤＲ、リアルタイムＤＲ処理に基づき、空調熱源設備機器３及び作業設備機器４の運転を制御する。
【００５２】
本発明は、上述した実施形態に限定されるものではなく、この発明の要旨を逸脱しない範囲内で様々な変形や応用が可能である。
【符号の説明】
【００５３】
１０１…空調熱源設備
１１１ａ，１１１ｂ，１１１ｃ…冷凍機
１１２ａ，１１２ｂ，１１２ｃ…一次側往水管路
１１３…往ヘッダ
１１４ａ，１１４ｂ，１１４ｚ…二次側往水管路
１１５ａ，１１５ｂ，１１５ｚ…空調機
１１６ａ，１１６ｂ，１１６ｚ…二次側還水管路
１１７…還ヘッダ
１１８ａ，１１８ｂ，１１８ｃ…一次側還水管路
１２１ａ，１２１ｂ，１２１ｃ…一次ポンプ
１２５ａ，１２５ｂ，１２５ｃ…二次ポンプ
１２６…制御弁
１３０…バイパス管路
１３１…空調熱源制御部
【図１】
2014181831.tif 000003
【図２】
2014181831.tif 000004
【図３】
2014181831.tif 000005